(57)【要約】【課題】  本発明の課題は、機密性の高いプリントファイルを、安全性を確保して印刷機に転送して、印刷後に削除するためのプリントファイル転送システムを提供することである。【解決手段】  転送管理クライアント装置と、プリントファイルサーバ装置と、印刷サーバ装置とがネットワークを通じて接続されて、前記ネットワークとは独立した別のネットワークに予定立案者が使用する転送指示装置と前記転送管理クライアント装置とが接続されて構成されるプリントファイル転送システムであって、前記転送指示装置が作成して、前記転送管理クライアント装置が記憶する、プリントファイル識別情報を含む管理データと転送開始時刻を含む予定データから、各種指示を生成して、各種指示に従って、プリントファイルサーバ装置に格納したプリントファイルを、印刷サーバ装置に転送させることを特徴とするプリントファイル転送システムである。【選択図】図１
2007034849.tif 000002
【特許請求の範囲】
【請求項１】
転送管理クライアント装置と、少なくとも１台のプリントファイルサーバ装置と、少なくとも１台の印刷サーバ装置とがネットワークを通じて接続されて、前記ネットワークとは独立した別のネットワークに予定立案者が使用する転送指示装置と前記転送管理クライアント装置とが接続されて構成されるプリントファイル転送システムであって、
前記転送指示装置は、
プリントファイルサーバ装置や印刷サーバ装置を指定するサーバ指定情報とプリントファイル識別情報とを含む管理データを作成して、送信する管理データ作成手段と、
管理データ請求を送信して、管理データを受信して、前記受信した管理データと転送開始時刻を含んだ予定データを作成して、送信する予定データ作成手段と、
を備えた転送指示装置であって、
前記転送管理クライアント装置は、
管理データを記録した管理表と、予定データを記録した予定表を記憶する記憶手段と、
管理データを受信して、管理表に登録して、また、管理データ請求を受け付けて、管理表の管理データを提供する管理データ授受手段と、
予定データを予定表に登録して、また、予定データ請求を受け付けて、予定表の予定データを提供する予定データ授受手段と、
受信した管理データのサーバ指定情報とプリントファイル識別情報とを含む格納場所作成指示を作成して、送信する格納場所作成指示手段と、
現在時刻を読み込み、提供された予定データの転送開始時刻と比較して一致したら、予定データのサーバ指定情報とプリントファイル識別情報とを含む転送開始指示を作成して、送信する転送開始指示部と、
を備えたクライアント装置であって、
前記プリントファイルサーバ装置は、
前記格納場所作成指示を受け付けて、前記格納場所作成指示のプリントファイル識別情報を関連付けた格納場所を作成する格納場所作成手段と、
前記転送開始指示を受け付けて、前記転送開始指示のプリントファイル識別情報に関連付けられた格納場所に格納されたプリントファイルを、取得して送信するプリントファイル送信部と、
を備えた転送サーバ装置であって、
前記印刷サーバ装置は、
前記格納場所作成指示を受け付けて、前記格納場所作成指示のプリントファイル識別情報を関連付けた格納場所を作成する格納場所作成手段と、
前記転送開始指示を受け付けて、前記転送開始指示のプリントファイル識別情報に関連付けられた格納場所に、前記送信されたプリントファイルを受信して、格納するプリントファイル受信部と、
を備えた印刷サーバ装置であって、
管理データと予定データから生成された各種指示に従って、プリントファイルを格納転送させる
ことを特徴とするプリントファイル転送システム。
【請求項２】
前記転送管理クライアント装置は、
前記記憶手段は、プリントファイルの生存時間とサーバ指定情報とプリントファイル識別情報とを含む管理データを記録した管理表と、プリントファイルの生存時間とプリントファイルの削除時刻とサーバ指定情報とプリントファイル識別情報とを含む予定データを記録した予定表を記憶して、
プリントファイル転送終了時刻を受信して、前記予定データに含まれるプリントファイルの生存時間を加算して、プリントファイル削除時刻を算出して、前記予定データに記録して新しい予定データを作成して、予定表の古い予定データを更新するプリントファイル削除時刻記録手段と、
現在時刻を読み込み、予定データのプリントファイル削除時刻と比較して一致したら、予定データの印刷サーバ装置のサーバ指定情報とプリントファイル識別情報とを含むプリントファイル削除指示を作成して、送信するプリントファイル削除指示手段と、
を備えたクライアント装置であって、
前記プリントファイルサーバ装置は、
プリントファイル転送終了時刻を送信する転送終了時刻報告手段
を備えたサーバ装置であって、
前記印刷サーバ装置は、
プリントファイル削除指示を受け付けて、
前記転送開始指示のプリントファイル識別情報に関連付けられた格納場所に格納されたプリントファイルを削除するプリントファイル削除手段
を備えた印刷サーバ装置であって、
管理データと予定データから生成された各種指示に従って、プリントファイルを格納転送削除させる
ことを特徴とする請求項１に記載のプリントファイル転送システム。
【請求項３】
前記転送管理クライアント装置は、
前記記憶手段が、プリントファイル容量の値とプリントファイルの生存時間とプリントファイルサーバ装置や印刷サーバ装置を指定するサーバ指定情報とプリントファイル識別情報とを含んだ管理データを記録した管理表と、転送開始時刻とプリントファイルサーバ装置と印刷サーバ装置を指定するサーバ指定情報とプリントファイル識別情報とを含んだ予定データを記録した予定表を記憶していて、
転送速度情報要求を作成して、要求するプリントファイルサーバ装置に送信して、転送速度の値を含んだ転送速度情報の返信を受け取って、前記転送指示装置に送信する転送速度情報取得部と、
を備えたクライアント装置であって、
前記転送指示装置は、
前記予定データ作成手段は、前記算出した転送開始時刻を含む予定データを作成して送信して、
前記転送速度情報を受信して、管理データのプリントファイル容量の値を前記受信した転送速度情報の転送速度の値で除算して、転送時間を算出する転送時間算出手段と、
予定立案者が入力した転送終了時刻を取得して、前記算出した転送時間を減算して、転送開始時刻を算出する転送開始時刻算出手段と、
を備えた転送指示装置であって、
プリントファイルサーバ装置は、
前記転送速度情報要求を受け付けて、指定された印刷サーバ装置に転送速度テストファイルを送信して、送受信開始時刻と終了時刻を含む転送時間測定を受け取って、テストファイル容量を開始と終了時刻の差分で除算して転送速度を測定して、転送速度の値を含めた転送速度情報を作成して返信する転送速度測定部を備えたサーバ装置であって、
印刷サーバ装置は、
前記転送速度情報要求を受け付けて、転送速度テストファイルを受信して、転送時間測定情報を返信する転送速度テストファイル受信部を備えたサーバ装置である、
ことを特徴とする請求項１、または、請求項２に記載のプリントファイル転送システム。
【請求項４】
前記転送管理クライアント装置は、
前記記憶手段が、プリントファイル容量の値とプリントファイルの生存時間とプリントファイルサーバ装置や印刷サーバ装置を指定するサーバ指定情報とプリントファイル識別情報とを含んだ管理データを記録した管理表と、転送開始時刻とプリントファイルサーバ装置と印刷サーバ装置を指定するサーバ指定情報とプリントファイル識別情報とを含んだ予定データを記録した予定表と、サーバ指定情報と速度情報を関連付けた転送速度表とを記憶していて、
管理データのサーバ指定情報を取得して、キーにして、転送速度表を参照して、前記キーと一致するサーバ指定情報の速度情報を取得して、前記転送指示装置に送信する転送速度情報表参照手段と、
を備えたクライアント装置であって、
前記転送指示装置は、
前記転送速度情報を受信して、管理データのプリントファイル容量の値を前記受信した転送速度情報の転送速度の値で除算して、転送時間を算出する転送時間算出手段と、
予定立案者が入力した転送終了時刻を取得して、前記算出した転送時間を減算して、転送開始時刻を算出する転送開始時刻算出手段と、
を備えた転送指示装置である、
ことを特徴とする請求項１、または、請求項２に記載のプリントファイル転送システム。
【請求項５】
前記印刷サーバ装置は、
ディスク空き容量情報要求を受け付けて、印刷サーバ装置の空き容量情報を送信する空き容量情報回答手段
を備えたサーバ装置であって、
前記転送管理クライアント装置は、
ディスク空き容量情報要求を作成して前記印刷サーバ装置に送信して、印刷サーバ装置のディスク空き容量情報の返信を受けて、予定データに記録して、新しい予定データを作成して、予定表の古い予定データを更新する空き容量情報記録手段
を備えたサーバクライアント装置である
ことを備えることを特徴とする請求項１から、請求項４のいずれか１項に記載のプリントファイル転送システム。
【請求項６】
前記転送指示装置は、
監視画面データ請求を送信して、予定表の予定データ群を受信して、または、新たな予定データ群を受信して、表示する監視画面表示手段
を備えた転送指示装置であって、
前記転送管理クライアント装置は、
監視画面データ請求を受け付けた時に、または、監視画面データ請求を受け付けた後に前記予定データ授受手段が予定データを登録した時に、予定データ群を送信する監視画面データ提供手段
を備えたクライアント装置である
ことを特徴とする請求項１から、請求項５のいずれか１項に記載のプリントファイル転送システム。
【請求項７】
前記転送管理クライアント装置は、
前記転送開始指示部が、
予定データのサーバ指定情報から取得した印刷サーバ装置の指定情報を含んだ印刷サーバ接続情報提供依頼を作成して、指定された印刷サーバ装置に送信して、転送路を接続するための印刷サーバ接続情報を返信として受け取る印刷サーバ接続情報取得手段と、
前記取得された印刷サーバ接続情報と前記予定データのプリントファイルサーバ装置の指定情報を含んだ転送路開設指示を作成して、送信する転送路開設指示手段と、
現在時刻を読み込み、前記予定データの転送開始時刻と比較して一致したら、前記開設された転送路を使って前記予定データのプリントファイル識別情報のプリントファイルを転送する転送開始指示を作成して、送信するプリントファイル転送開始指示手段と、
から構成されているクライアント装置であって、
前記プリントファイルサーバ装置は、
前記プリントファイル送信部が、
前記送信された転送路開設指示を受け付けて、前記転送路開設指示の印刷サーバ接続情報を含んだ転送路開設依頼を作成して、指示された印刷サーバ装置に送信して、転送路開設承諾の返信を受け取って、転送路を開設する転送路開設手段と、
前記プリントファイル識別情報を含む転送開始指示を受け付けて、前記転送開始指示のプリントファイル識別情報に関連付けられた格納場所に格納されたプリントファイルを、取得して、前記開設された転送路を通じて、送信するプリントファイル送信手段と、
から構成されているサーバ装置であって、
前記印刷サーバ装置は、
前記プリントファイル受信部が、
前記送信された印刷サーバ接続情報提供依頼を受け付けて、転送路を接続するための印刷サーバ接続情報を返信する印刷サーバ接続情報提供手段と、
前記送信された転送路開設依頼を受け付けて、転送路開設承諾情報を返信して、前記転送路開設依頼に含まれる印刷サーバ接続情報に基づいて転送路を接続して開設する印刷サーバ転送路開設手段と、
前記転送開始指示を受け付けて、前記開設した転送路を通じて、前記プリントファイルを受信して、前記転送開始指示に含まれるプリントファイル識別情報に関連付けられた格納場所に、格納するプリントファイル受信手段と、
から構成されているサーバ装置である、
ことを特徴とする請求項１から、請求項６のいずれか１項に記載のプリントファイル転送システム。
【請求項８】
前記印刷サーバ接続情報とは、印刷サーバ装置のＩＰアドレスとポート番号である
ことを特徴とする請求項１項から、請求項７のいずれか１項に記載のプリントファイル転送システム。
【請求項９】
前記転送管理クライアント装置は、
前記記憶手段が、プリントファイルサーバ装置や印刷サーバ装置を指定するサーバ指定情報とプリントファイル容量の値を含んだ管理データを記録した管理表や、
プリントファイル識別情報とサーバ指定情報と転送開始時刻を含んだ予定データを記録した予定表を記憶していて、
転送速度情報取得部が、
前記印刷サーバ接続情報取得手段と、
前記転送路開設指示手段と、
開設する転送路の速度情報を要求する転送速度情報要求を作成して、送信して、転送速度の値を含んだ転送速度情報の返信を受け取って、前記返信を受け取った転送速度情報を送信する転送速度情報取得手段と、
から構成されているクライアント装置であって、
プリントファイルサーバ装置は、
転送速度測定部が、
前記転送路開設手段と、
前記転送速度情報要求を受け付けて、前記開設された転送路を使って、転送速度テストファイルを送信して、転送速度の値を測定して、転送速度の値を含めた転送速度情報を作成して返信する転送速度測定手段と、
から構成されているサーバ装置であって、
印刷サーバ装置は、
転送速度テストファイル受信部が、
前記印刷サーバ接続情報提供手段と、
前記印刷サーバ転送路開設手段と、
前記転送速度情報要求を受け付けて、前記開設された転送路を使って、転送速度テストファイルを受信して、転送速度の値を測定するための情報を返信する転送速度テストファイル受信手段と、
から構成されているサーバ装置である、
ことを特徴とする請求項１から、請求項８のいずれか１項に記載のプリントファイル転送システム。
【請求項１０】
前記転送管理クライアント装置は、ＦＴＰクライアント装置であって、
前記プリントファイルサーバ装置と前記印刷サーバ装置は、ＦＴＰサーバ装置である
ことを特徴とする請求項１から、請求項９のいずれか１項に記載のプリントファイル転送システム。
【請求項１１】
コンピュータに組込むことによって、コンピュータを請求項１から、請求項１０のいずれか１項に記載のプリントファイル転送システムとして動作させるコンピュータプログラム。
【請求項１２】
請求項１１に記載のコンピュータプログラムを記録したコンピュータ読取り可能な記録媒体。
【発明の詳細な説明】
【技術分野】
【０００１】
本発明は、セキュリティの高い印刷データを含んだプリントファイルにオペレータを直接アクセスさせずにファイル転送ができるプリントファイル転送システムに関するものである。
【背景技術】
【０００２】
近年、セキュリティの高い情報を含む印刷データを用いた印刷物が製造されている。
【０００３】
たとえば、特許文献１には、個人情報を含んだプリントファイルを作成保管して、印刷装置に転送する技術が提案されている。（従来技術１）
【特許文献１】特開平１０−３２０４６６号公報（３〜６頁、図１５〜６）
【発明の開示】
【発明が解決しようとする課題】
【０００４】
ところが、従来技術１では、オペレータが、個人情報を含んだ印刷データを印刷装置に転送する際に、データに直接アクセス出来ることから、セキュリティの高いデータを安全に保全する上で欠点が生じていた。また、編集印刷工程において、印刷データを転送する際に、第三者がデータ伝送経路を覗くことが出来きるので、データ漏洩の危険性があった。更には、印刷を終了した印刷データが、印刷装置に無用に残されているという問題があった。
【０００５】
本発明は、このような従来技術を考慮してなされたものであって、本発明の課題は、機密性の高いプリントファイルを、安全性を確保して印刷機に転送して、印刷後に削除するためのプリントファイル転送システムを提供することである。
【課題を解決するための手段】
【０００６】
本発明は、以下のような解決手段により、前記課題を解決する。すなわち、請求項１に記載の発明は、転送管理クライアント装置と、少なくとも１台のプリントファイルサーバ装置と、少なくとも１台の印刷サーバ装置とがネットワークを通じて接続されて、前記ネットワークとは独立した別のネットワークに予定立案者が使用する転送指示装置と前記転送管理クライアント装置とが接続されて構成されるプリントファイル転送システムであって、前記転送指示装置は、プリントファイルサーバ装置や印刷サーバ装置を指定するサーバ指定情報とプリントファイル識別情報とを含む管理データを作成して、送信する管理データ作成手段と、管理データ請求を送信して、管理データを受信して、前記受信した管理データと転送開始時刻を含んだ予定データを作成して、送信する予定データ作成手段と、を備えた転送指示装置であって、前記転送管理クライアント装置は、管理データを記録した管理表と、予定データを記録した予定表を記憶する記憶手段と、管理データを受信して、管理表に登録して、また、管理データ請求を受け付けて、管理表の管理データを提供する管理データ授受手段と、予定データを予定表に登録して、また、予定データ請求を受け付けて、予定表の予定データを提供する予定データ授受手段と、受信した管理データのサーバ指定情報とプリントファイル識別情報とを含む格納場所作成指示を作成して、送信する格納場所作成指示手段と、現在時刻を読み込み、提供された予定データの転送開始時刻と比較して一致したら、予定データのサーバ指定情報とプリントファイル識別情報とを含む転送開始指示を作成して、送信する転送開始指示部と、を備えたクライアント装置であって、前記プリントファイルサーバ装置は、前記格納場所作成指示を受け付けて、前記格納場所作成指示のプリントファイル識別情報を関連付けた格納場所を作成する格納場所作成手段と、前記転送開始指示を受け付けて、前記転送開始指示のプリントファイル識別情報に関連付けられた格納場所に格納されたプリントファイルを、取得して送信するプリントファイル送信部と、を備えた転送サーバ装置であって、前記印刷サーバ装置は、前記格納場所作成指示を受け付けて、前記格納場所作成指示のプリントファイル識別情報を関連付けた格納場所を作成する格納場所作成手段と、前記転送開始指示を受け付けて、前記転送開始指示のプリントファイル識別情報に関連付けられた格納場所に、前記送信されたプリントファイルを受信して、格納するプリントファイル受信部と、を備えた印刷サーバ装置であって、管理データと予定データから生成された各種指示に従って、プリントファイルを格納転送させることを特徴とするプリントファイル転送システムである。
【０００７】
したがって、予定立案者は、転送指示装置から、管理データや予定データのみにアクセスできて、管理データや予定データを用いて、プリントファイルを印刷サーバ装置に転送を指示することは可能であるが、管理データや予定データを用いて、プリントファイルサーバ装置や印刷サーバ装置が管理して保持するプリントファイルを転送指示装置に受信することは、不可能であり、同様に、プリントファイルの所在情報を転送指示装置に受信することも、不可能である。
【０００８】
請求項２に記載の発明は、前記転送管理クライアント装置は、前記記憶手段は、プリントファイルの生存時間とサーバ指定情報とプリントファイル識別情報とを含む管理データを記録した管理表と、プリントファイルの生存時間とプリントファイルの削除時刻とサーバ指定情報とプリントファイル識別情報とを含む予定データを記録した予定表を記憶して、プリントファイル転送終了時刻を受信して、前記予定データに含まれるプリントファイルの生存時間を加算して、プリントファイル削除時刻を算出して、前記予定データに記録して新しい予定データを作成して、予定表の古い予定データを更新するプリントファイル削除時刻記録手段と、現在時刻を読み込み、予定データのプリントファイル削除時刻と比較して一致したら、予定データの印刷サーバ装置のサーバ指定情報とプリントファイル識別情報とを含むプリントファイル削除指示を作成して、送信するプリントファイル削除指示手段と、を備えたクライアント装置であって、前記プリントファイルサーバ装置は、プリントファイル転送終了時刻を送信する転送終了時刻報告手段を備えたサーバ装置であって、前記印刷サーバ装置は、プリントファイル削除指示を受け付けて、前記転送開始指示のプリントファイル識別情報に関連付けられた格納場所に格納されたプリントファイルを削除するプリントファイル削除手段を備えた印刷サーバ装置であって、管理データと予定データから生成された各種指示に従って、プリントファイルを格納転送削除させることを特徴とする請求項１に記載のプリントファイル転送システムである。
【０００９】
このように、プリントファイルサーバ装置と印刷サーバ装置の間に開設される転送路のファイル転送速度が測定されて求められることで、転送されるプリントファイル容量から、転送時間が算出される。印刷サーバ装置で印刷する時刻を考慮して定めた転送終了時刻から、転送時間を用いて引き算することで、転送開始時刻が算出されて予定表に記録される。転送管理クライアント装置は、記憶する予定表の予定データにしたがって、プリントファイルサーバ装置に、保持するプリントファイルの転送を指示することで、印刷サーバ装置に所望のプリントファイルが所定の時刻に転送される。
【００１０】
また、印刷サーバ装置のプリントファイルは、印刷後、所定の時間が経過すると、転送管理クライアント装置によって、削除指示が出されて、削除される。
【００１１】
請求項３に記載の発明は、前記転送管理クライアント装置は、前記記憶手段が、プリントファイル容量の値とプリントファイルの生存時間とプリントファイルサーバ装置や印刷サーバ装置を指定するサーバ指定情報とプリントファイル識別情報とを含んだ管理データを記録した管理表と、転送開始時刻とプリントファイルサーバ装置と印刷サーバ装置を指定するサーバ指定情報とプリントファイル識別情報とを含んだ予定データを記録した予定表を記憶していて、転送速度情報要求を作成して、要求するプリントファイルサーバ装置に送信して、転送速度の値を含んだ転送速度情報の返信を受け取って、前記転送指示装置に送信する転送速度情報取得部と、を備えたクライアント装置であって、前記転送指示装置は、前記予定データ作成手段は、前記算出した転送開始時刻を含む予定データを作成して送信して、前記転送速度情報を受信して、管理データのプリントファイル容量の値を前記受信した転送速度情報の転送速度の値で除算して、転送時間を算出する転送時間算出手段と、予定立案者が入力した転送終了時刻を取得して、前記算出した転送時間を減算して、転送開始時刻を算出する転送開始時刻算出手段と、を備えた転送指示装置であって、プリントファイルサーバ装置は、前記転送速度情報要求を受け付けて、指定された印刷サーバ装置に転送速度テストファイルを送信して、送受信開始時刻と終了時刻を含む転送時間測定を受け取って、テストファイル容量を開始と終了時刻の差分で除算して転送速度を測定して、転送速度の値を含めた転送速度情報を作成して返信する転送速度測定部を備えたサーバ装置であって、印刷サーバ装置は、前記転送速度情報要求を受け付けて、転送速度テストファイルを受信して、転送時間測定情報を返信する転送速度テストファイル受信部を備えたサーバ装置である、ことを特徴とする請求項１、または、請求項２に記載のプリントファイル転送システムである。
【００１２】
プリントファイルサーバ装置と印刷サーバ装置の間に開設される転送路のファイル転送速度が測定されて求められることで、転送されるプリントファイル容量から、転送時間が算出される。印刷サーバ装置で印刷する時刻を考慮して定めた転送終了時刻から、転送時間を用いて引き算することで、転送開始時刻が算出されて予定表に記録される。転送管理クライアント装置は、記憶する予定表の予定データにしたがって、プリントファイルサーバ装置に、保持するプリントファイルの転送を指示することで、印刷サーバ装置に所望のプリントファイルが所定の時刻に転送される。
【００１３】
請求項４に記載の発明は、前記転送管理クライアント装置は、前記記憶手段が、プリントファイル容量の値とプリントファイルの生存時間とプリントファイルサーバ装置や印刷サーバ装置を指定するサーバ指定情報とプリントファイル識別情報とを含んだ管理データを記録した管理表と、転送開始時刻とプリントファイルサーバ装置と印刷サーバ装置を指定するサーバ指定情報とプリントファイル識別情報とを含んだ予定データを記録した予定表と、サーバ指定情報と速度情報を関連付けた転送速度表とを記憶していて、管理データのサーバ指定情報を取得して、キーにして、転送速度表を参照して、前記キーと一致するサーバ指定情報の速度情報を取得して、前記転送指示装置に送信する転送速度情報表参照手段と、を備えたクライアント装置であって、前記転送指示装置は、前記転送速度情報を受信して、管理データのプリントファイル容量の値を前記受信した転送速度情報の転送速度の値で除算して、転送時間を算出する転送時間算出手段と、予定立案者が入力した転送終了時刻を取得して、前記算出した転送時間を減算して、転送開始時刻を算出する転送開始時刻算出手段と、を備えた転送指示装置である、ことを特徴とする請求項１、または、請求項２に記載のプリントファイル転送システムである。
【００１４】
転送速度を開設した転送路で測定する代わりに、転送速度表に記憶させた転送速度表を用いる。
【００１５】
請求項５に記載の発明は、前記印刷サーバ装置は、ディスク空き容量情報要求を受け付けて、印刷サーバ装置の空き容量情報を送信する空き容量情報回答手段を備えたサーバ装置であって、前記転送管理クライアント装置は、ディスク空き容量情報要求を作成して前記印刷サーバ装置に送信して、印刷サーバ装置のディスク空き容量情報の返信を受けて、予定データに記録して、新しい予定データを作成して、予定表の古い予定データを更新する空き容量情報記録手段を備えたサーバクライアント装置であることを備えることを特徴とする請求項１から、請求項４のいずれか１項に記載のプリントファイル転送システムである。
【００１６】
請求項６に記載の発明は、前記転送指示装置は、監視画面データ請求を送信して、予定表の予定データ群を受信して、または、新たな予定データ群を受信して、表示する監視画面表示手段を備えた転送指示装置であって、前記転送管理クライアント装置は、監視画面データ請求を受け付けた時に、または、監視画面データ請求を受け付けた後に前記予定データ授受手段が予定データを登録した時に、予定データ群を送信する監視画面データ提供手段を備えたクライアント装置であることを特徴とする請求項１から、請求項５のいずれか１項に記載のプリントファイル転送システムである。
【００１７】
請求項７に記載の発明は、前記転送管理クライアント装置は、前記転送開始指示部が、予定データのサーバ指定情報から取得した印刷サーバ装置の指定情報を含んだ印刷サーバ接続情報提供依頼を作成して、指定された印刷サーバ装置に送信して、転送路を接続するための印刷サーバ接続情報を返信として受け取る印刷サーバ接続情報取得手段と、前記取得された印刷サーバ接続情報と前記予定データのプリントファイルサーバ装置の指定情報を含んだ転送路開設指示を作成して、送信する転送路開設指示手段と、現在時刻を読み込み、前記予定データの転送開始時刻と比較して一致したら、前記開設された転送路を使って前記予定データのプリントファイル識別情報のプリントファイルを転送する転送開始指示を作成して、送信するプリントファイル転送開始指示手段と、から構成されているクライアント装置であって、前記プリントファイルサーバ装置は、前記プリントファイル送信部が、前記送信された転送路開設指示を受け付けて、前記転送路開設指示の印刷サーバ接続情報を含んだ転送路開設依頼を作成して、指示された印刷サーバ装置に送信して、転送路開設承諾の返信を受け取って、転送路を開設する転送路開設手段と、前記プリントファイル識別情報を含む転送開始指示を受け付けて、前記転送開始指示のプリントファイル識別情報に関連付けられた格納場所に格納されたプリントファイルを、取得して、前記開設された転送路を通じて、送信するプリントファイル送信手段と、から構成されているサーバ装置であって、前記印刷サーバ装置は、前記プリントファイル受信部が、前記送信された印刷サーバ接続情報提供依頼を受け付けて、転送路を接続するための印刷サーバ接続情報を返信する印刷サーバ接続情報提供手段と、前記送信された転送路開設依頼を受け付けて、転送路開設承諾情報を返信して、前記転送路開設依頼に含まれる印刷サーバ接続情報に基づいて転送路を接続して開設する印刷サーバ転送路開設手段と、前記転送開始指示を受け付けて、前記開設した転送路を通じて、前記プリントファイルを受信して、前記転送開始指示に含まれるプリントファイル識別情報に関連付けられた格納場所に、格納するプリントファイル受信手段と、から構成されているサーバ装置である、ことを特徴とする請求項１から、請求項６のいずれか１項に記載のプリントファイル転送システムである。
【００１８】
このように、プリントファイルサーバ装置が印刷サーバ装置の印刷サーバ接続情報を取得することで、転送路を開設することができる。
【００１９】
請求項８に記載の発明は、前記印刷サーバ接続情報とは、印刷サーバ装置のＩＰアドレスとポート番号であることを特徴とする請求項１項から、請求項７のいずれか１項に記載のプリントファイル転送システムである。
【００２０】
請求項９に記載の発明は、前記転送管理クライアント装置は、前記記憶手段が、プリントファイルサーバ装置や印刷サーバ装置を指定するサーバ指定情報とプリントファイル容量の値を含んだ管理データを記録した管理表や、プリントファイル識別情報とサーバ指定情報と転送開始時刻を含んだ予定データを記録した予定表を記憶していて、転送速度情報取得部が、前記印刷サーバ接続情報取得手段と、前記転送路開設指示手段と、開設する転送路の速度情報を要求する転送速度情報要求を作成して、送信して、転送速度の値を含んだ転送速度情報の返信を受け取って、前記返信を受け取った転送速度情報を送信する転送速度情報取得手段と、から構成されているクライアント装置であって、プリントファイルサーバ装置は、転送速度測定部が、前記転送路開設手段と、前記転送速度情報要求を受け付けて、前記開設された転送路を使って、転送速度テストファイルを送信して、転送速度の値を測定して、転送速度の値を含めた転送速度情報を作成して返信する転送速度測定手段と、から構成されているサーバ装置であって、印刷サーバ装置は、転送速度テストファイル受信部が、前記印刷サーバ接続情報提供手段と、前記印刷サーバ転送路開設手段と、前記転送速度情報要求を受け付けて、前記開設された転送路を使って、転送速度テストファイルを受信して、転送速度の値を測定するための情報を返信する転送速度テストファイル受信手段と、から構成されているサーバ装置である、ことを特徴とする請求項１から、請求項８のいずれか１項に記載のプリントファイル転送システムである。
【００２１】
このように、印刷サーバ接続情報により開設された転送路を使って、転送速度テストファイルを送信することによって、プリントファイルサーバ装置は、転送路の転送速度を測定することができる。
【００２２】
請求項１０に記載の発明は、前記転送管理クライアント装置は、ＦＴＰクライアント装置であって、前記プリントファイルサーバ装置と前記印刷サーバ装置は、ＦＴＰサーバ装置であることを特徴とする請求項１から、請求項９のいずれか１項に記載のプリントファイル転送システムである。
【００２３】
請求項１１に記載の発明は、コンピュータに組込むことによって、コンピュータを請求項１から、請求項１０のいずれか１項に記載のプリントファイル転送システムとして動作させるコンピュータプログラムである。
【００２４】
請求項１２に記載の発明は、請求項１１に記載のコンピュータプログラムを記録したコンピュータ読取り可能な記録媒体である。
【発明の効果】
【００２５】
本願発明によれば、機密性の高いプリントファイルに作業者をアクセスさせずに、安全性を確保して印刷機に転送することが可能となり、データ漏洩やデータ改竄の不安がなくなる。さらに、印刷機に存在する印刷済みのプリントファイルを確実に削除することができるようになるので、プリントファイル削除作業が不要となる。
【発明を実施するための最良の形態】
【００２６】
以下、図面等を参照しながら、本発明の実施の形態について、更に詳しく説明する。図１は、本発明によるプリントファイル転送システム１の全体構成図である。プリントファイル転送システム１は、転送管理クライアント装置１００と、少なくとも１台のプリントファイルサーバ装置５００と、少なくとも１台の印刷サーバ装置７００とがネットワークを通じて接続されて構成されていて、転送指示装置３００と転送管理クライアント装置１００とがこのネットワークとは独立した別のネットワークを通じて接続されて構成されていて、転送指示装置３００がプリントファイルサーバ装置５００と印刷サーバ装置７００とはネットワークを通じて接続されずに構成されている。
【００２７】
転送指示装置３００は、プリントファイルサーバ装置５００と印刷サーバ装置７００を指定するサーバ指定情報とを含んだ管理データを作成して、転送管理クライアント装置１００の管理表１９１に登録する。転送指示装置３００は、予定立案者が管理表１９１から選択した管理データに、予定立案者が指定した転送開始時刻を加えて予定データを作成して、転送管理クライアント装置１００の予定表１９３に登録する。転送管理クライアント装置１００は、管理表１９１と予定表１９３を保持する。転送管理クライアント装置１００は、予定表１９３に記録された予定データに従って、プリントファイル転送指示を行う。
【００２８】
プリントファイル格納作業者は、プリントファイルサーバ装置５００の格納フォルダ５８５にプリントファイルを格納する。プリントファイルサーバ装置５００は、転送管理クライアント装置１００の指示に従って、印刷サーバ装置７００との間に転送路６００を開設して、格納フォルダ５８５に格納されているプリントファイルを、転送する。印刷サーバ装置７００は、プリントファイルを格納する格納フォルダ７８５を保持する。印刷サーバ装置７００は、プリントファイルサーバ装置５００との間に開設された転送路６００を通して、プリントファイルを受信して、格納フォルダ７８５に格納して、転送管理クライアント装置１００の指示に従って、プリントファイルを印刷する。
【００２９】
図２は、プリントファイル転送システム１の大まかな動作フローの説明図である。予定立案者は、プリントファイルを保持するプリントファイルサーバ装置５００とプリントファイルの転送先の印刷サーバ装置７００とを指定するサーバ指定情報とを含んだ管理データを作成して、転送管理クライアント装置１００に送信する（図２（ア））。転送管理クライアント装置１００は、管理データを受信して、管理表１９１に登録して、さらに、管理データに含まれるサーバ指定情報が指定するプリントファイルサーバ装置５００と印刷サーバ装置７００に、格納フォルダ作成指示を送信する（同（イ））。プリントファイルサーバ装置５００と印刷サーバ装置７００は、それぞれ、格納フォルダ５８５／７８５を作成する（同（ウ））。格納作業者は、プリントファイルを格納フォルダ５８５に格納する（同（エ））。
【００３０】
予定立案者は、印刷予定のプリントファイルの管理データを、管理表１９１から選択して、プリントファイルの転送開始時刻や生存時間を含む情報を加えて予定データを作成して、転送管理クライアント装置１００に送信する（同（カ））。転送管理クライアント装置１００は、予定データを受信して、予定表１９３に登録する（同（キ））。
【００３１】
転送管理クライアント装置１００は、プリントファイルの転送開始時刻になったら、転送路開設指示を送信する（同（サ））。プリントファイルサーバ装置５００は、転送路開設指示を受け付けて、指示された印刷サーバ装置７００に、転送路開設依頼を送信して、転送路６００を開設する（同（シ））。印刷サーバ装置７００は、転送路開設依頼を受け付けて、転送路６００を開設する（同（ス））。転送管理クライアント装置１００は、プリントファイルサーバ装置５００に、プリントファイル送信の開始を指示して、印刷サーバ装置７００に、プリントファイルの受信開始を指示する（同（タ））。プリントファイルサーバ装置５００は、ファイル送信の開始指示を受け付けて、開設した転送路６００を通じて、格納フォルダ５８５のプリントファイルを送信する（同（チ））。印刷サーバ装置７００は、ファイル受信指示を受け付けて、開設した転送路６００を通じて、プリントファイルを受信して、格納フォルダ７８５に格納する（同（ツ））。
【００３２】
プリントファイルサーバ装置５００は、プリントファイル送信終了時刻を報告する（同（ナ））。印刷作業者は、格納されたプリントファイルを使って、印刷する（同（ニ））。転送管理クライアント装置１００は、転送終了時刻を受信して、プリントファイルの生存時間が経過したら、印刷サーバ装置７００にプリントファイル削除を指示する（同（ハ））。印刷サーバ装置７００は、指示されたプリントファイルを削除する（同（マ））。
【００３３】
図３は、プリントファイル転送システム１の詳細な構成図である。プリントファイル転送システム１は、転送管理クライアント装置１００と、少なくとも１台のプリントファイルサーバ装置５００と、少なくとも１台の印刷サーバ装置７００とがネットワークを通じて接続されて、転送指示装置３００と転送管理クライアント装置１００とがこのネットワークとは独立した別のネットワークを通じて接続されて構成される。
【００３４】
転送管理クライアント装置１００の構成を説明する。転送管理クライアント装置１００は、管理データ授受手段１１０と、予定データ授受手段１３０と、監視画面データ提供手段１３５と、転送開始指示部１５５と、転送速度情報取得部１４７と、プリントファイル削除指示手段１６０と、プリントファイル削除時刻記録手段１６５と、空き容量情報取得手段１７５と、格納場所作成指示手段１８０と、記憶手段１９０とを備える。転送開始指示部１５５は、印刷サーバ接続情報取得手段１４３と、転送路開設指示手段１４０と、転送開始指示手段１５０と、から構成されている。転送速度情報取得部１４７は、印刷サーバ接続情報取得手段１４３と、転送路開設指示手段１４０と、転送速度情報取得手段１４５と、から構成されている。記憶手段１９０は、管理表１９１と予定表１９３を記憶する。
【００３５】
管理表１９１は、プリントファイルサーバ装置５００と印刷サーバ装置７００を指定するサーバ指定情報とプリントファイル識別情報（たとえば、プリントファイル名）とプリントファイル容量の値とプリントファイルの生存時間とを含んだプリントファイルの管理データを記録する。予定表１９３は、サーバ指定情報とプリントファイル名と転送開始時刻とを含んだ予定データを記録する。
【００３６】
管理データ授受手段１１０は、管理データ作成手段３１０（詳細後述）で作成された管理データを受信して、管理表１９１に登録して、また、管理データ請求を受け付けて、管理表１９１の管理データを提供する。予定データ授受手段１３０は、予定データ作成手段３３０（詳細後述）で作成された予定データを予定表１９３に登録して、また、予定データ請求を受け付けて、予定表１９３の予定データを提供する。監視画面データ提供手段１３５は、監視画面データ請求を受け付けたとき、または、監視画面データ請求を受け付けた後に予定データ授受手段１３０が予定データを登録したとき、予定表１９３の予定データ群を送信する。
【００３７】
転送速度情報取得部１４７は、転送速度情報要求を作成して、要求するプリントファイルサーバ装置に送信して、転送速度の値を含んだ転送速度情報の返信を受け取って、前記転送指示装置に送信する。印刷サーバ接続情報取得手段１４３は、予定データのサーバ指定情報から取得した印刷サーバ装置の指定情報を含んだ印刷サーバ接続情報提供依頼を作成して、指定された印刷サーバ装置７００に送信して、転送路６００を接続するための印刷サーバ接続情報（たとえば、ＩＰアドレスとポート番号）を返信として受け取る。転送路開設指示手段１４０は、取得した印刷サーバ装置７００のＩＰアドレスとポート番号と前記予定データのプリントファイルサーバ装置５００の指定情報とを含む転送開始指示を作成して、指定されたプリントファイルサーバ装置５００に送信する。転送速度情報取得手段１４５は、開設する転送路６００の速度情報を要求する転送速度情報要求を作成して、転送速度測定手段５４５（詳細後述）に送信して、転送速度の値を含んだ転送速度情報の返信を受け取り、前記受け取った転送速度情報を転送時間算出手段３４０（詳細後述）に送信する。
【００３８】
転送開始指示部１５５は、現在時刻を読み込み、提供された予定データの転送開始時刻と比較して一致したら、予定データのサーバ指定情報とプリントファイル名とを含む転送開始指示を作成して、送信する。プリントファイル転送開始指示手段１５０は、現在時刻を読み込み、提供された予定データの転送開始時刻と比較して一致したら、前記開設された転送路６００を使って、予定データに含まれるプリントファイル名のプリントファイルを転送することを指示する転送開始指示を作成して、サーバ指定情報が指定するプリントファイルサーバ装置と印刷サーバ装置に送信する。
【００３９】
プリントファイル削除時刻記録手段１６５は、プリントファイル転送終了時刻を受信して、前記予定データに含まれるプリントファイルの生存時間を加算して、プリントファイル削除時刻を算出して、前記予定データに記録して新しい予定データを作成して、予定表の古い予定データを更新する。プリントファイル削除指示手段１６０は、現在時刻を読み込み、予定データのプリントファイル削除時刻と比較して一致したら、予定データのプリントファイル名と印刷サーバ装置７００のサーバ指定情報とを含むプリントファイル削除指示を作成して、サーバ指定情報が指定する印刷サーバ装置７００に送信する。空き容量情報記録手段１７５は、ディスク空き容量情報要求を作成して、指定された印刷サーバ装置に送信して、前記指定された印刷サーバ装置のディスク空き容量情報の返信を受けて、予定データに記録して、新しい予定データを作成して、予定表の古い予定データを更新する。格納場所作成指示手段１８０は、前記転送指示装置３００から受信した管理データのサーバ指定情報とプリントファイル名とを含む格納場所作成指示を作成して、サーバ指定情報が指定するプリントファイルサーバ装置と印刷サーバ装置に送信する。
【００４０】
記憶手段１９０は、転送管理クライアント装置１００に内蔵される不揮発メモリ領域である。管理データ授受手段１１０と予定データ授受手段１３０と監視画面データ提供手段１３５と転送路開設指示手段１４０と転送開始時刻判定手段１４２と印刷サーバ接続情報取得手段１４３と転送速度情報取得手段１４５と転送開始指示手段１５０とプリントファイル削除指示手段１６０とプリントファイル削除時刻記録手段１６５と空き容量情報取得手段１７５と格納場所作成指示手段１８０とは、転送管理クライアント装置１００に内蔵されるコンピュータ・プログラムである。記憶手段１９０に記憶される管理表１９１と予定表１９３は、表形式のデータである。
【００４１】
転送指示装置３００の構成を説明する。転送指示装置３００は、管理データ作成手段３１０と予定データ作成手段３３０と監視画面表示手段３３５と転送時間算出手段３４０と転送開始時刻算出手段３４５とを備える。
【００４２】
管理データ作成手段３１０は、プリントファイルサーバ装置５００や印刷サーバ装置７００を指定するサーバ指定情報とプリントファイル名とを含む管理データを作成して、転送管理クライアント装置１００に送信する。予定データ作成手段３３０は、管理データ請求を送信して、管理データを受信取得して、転送開始時刻を含んだ予定データを作成して、送信する。転送時間算出手段３４０は、前記開設される転送路６００の転送速度の値を受信して、前記受信された管理データに含まれるプリントファイル容量の値を前記受信した転送速度の値で除算して、転送時間を算出する。転送開始時刻算出手段３４５は、予定立案者が入力した転送終了時刻を取得して、前記算出した転送時間を減算して、転送開始時刻を算出する。監視画面表示手段３３５は、監視画面データ請求を送信して、予定表の予定データ群を受信して、また、その後に新しい予定表の予定データ群を受信して、表示する。
【００４３】
管理データ作成手段３１０と予定データ作成手段３３０と監視画面表示手段３３５と転送時間算出手段３４０と転送開始時刻算出手段３４５とは、転送指示装置３００に内蔵されるコンピュータ・プログラムである。
【００４４】
図４は、プリントファイル転送システム１のプリントファイルサーバ装置５００と印刷サーバ装置７００のの詳細な構成図である。
【００４５】
プリントファイルサーバ装置５００の構成を説明する。プリントファイルサーバ装置５００は、プリントファイル送信部５５５と転送速度測定部５４７と転送終了時刻報告手段５６５と格納場所作成手段５８０と格納フォルダ５８５を備える。プリントファイル送信部５５５は、転送路開設手段５４０とプリントファイル送信手段５５０とから構成される。転送速度測定部５４７は、転送路開設手段５４０と転送速度測定手段５４５とから構成される。
【００４６】
格納場所作成手段５８０は、前記格納場所作成指示を受け付けて、前記格納場所作成指示のプリントファイル識別情報（たとえば、プリントファイル名）を関連付けた格納場所（たとえば、格納フォルダ５８５）を作成する。
【００４７】
転送速度測定部５４７は、前記転送速度情報要求を受け付けて、指定された印刷サーバ装置に転送速度テストファイルを送信して、送受信開始時刻と終了時刻を含む転送時間測定を受け取って、テストファイル容量を開始と終了時刻の差分で除算して転送速度を測定して、転送速度の値を含めた転送速度情報を作成して返信する。転送路開設手段５４０は、前記送信された転送路開設指示を受け付けて、前記転送路開設指示の印刷サーバ接続情報を含んだ転送路開設依頼を作成して、指示された印刷サーバ装置に送信して、転送路開設承諾の返信を受け取って、転送路６００を開設する。転送速度測定手段５４５は、前記転送速度情報要求を受け付けて、前記開設された転送路６００を使って、転送速度テストファイルを送信して、転送速度の値を測定して、転送速度の値を含めた転送速度情報を作成して返信する。
【００４８】
プリントファイル送信部５５５は、前記転送開始指示を受け付けて、前記転送開始指示のプリントファイル名に関連付けられた格納場所に格納されたプリントファイルを、取得して送信する。プリントファイル送信手段５５０は、前記プリントファイル名を含む転送開始指示を受け付けて、前記転送開始指示のプリントファイル名に関連付けられた格納フォルダ５８５に格納されたプリントファイルを、取得して、前記開設された転送路６００を通じて、送信する。
【００４９】
転送終了時刻報告手段５６５は、プリントファイル転送終了時刻を送信する。
【００５０】
転送路開設手段５４０と転送速度測定手段５４５とプリントファイル送信手段５５０と転送終了時刻報告手段５６５と格納場所作成手段５８０とは、プリントファイルサーバ装置５００に内蔵されるコンピュータ・プログラムである。格納フォルダ５８５は、プリントファイルサーバ装置５００に内蔵されるメモリ領域である。
【００５１】
印刷サーバ装置７００の構成を説明する。印刷サーバ装置７００は、転送速度テストファイル受信部７４７とプリントファイル受信部７５５とプリントファイル削除手段７６０と空き容量情報回答手段７７５と格納場所作成手段７８０と格納ファオルダ７８５とを備える。プリントファイル受信部７５５は、印刷サーバ転送路開設手段７４０と印刷サーバ接続情報提供手段７４３とプリントファイル受信手段７５０とから構成されている。転送速度テストファイル受信部７４７は、印刷サーバ転送路開設手段７４０と印刷サーバ接続情報提供手段７４３と転送速度テストファイル受信手段７４５とから構成されている。
【００５２】
プリントファイル受信部７５５は、前記転送開始指示を受け付けて、前記転送開始指示のプリントファイル名に関連付けられた格納場所に、前記送信されたプリントファイルを受信して、格納する。印刷サーバ転送路開設手段７４０は、前記印刷サーバ装置７００のＩＰアドレスとポート番号を含んだ転送路開設依頼を受け付けて、転送路開設承諾を返信して、前記印刷サーバ装置７００のＩＰアドレスとポート番号に基づいた転送路６００を接続して開設する。印刷サーバ接続情報提供手段７４３は、印刷サーバ接続情報提供依頼を受け付けて、転送路６００を接続するための印刷サーバ接続情報（たとえば、印刷サーバ装置７００のＩＰアドレスとポート番号）を返信する。プリントファイル受信手段７５０は、前記転送開始指示を受け付けて、前記開設した転送路６００を通じてプリントファイルを受信して、前記転送開始指示に含まれるプリントファイル名に関連付けられた格納フォルダに、格納する。
【００５３】
転送速度テストファイル受信部７４７は、前記転送速度情報要求を受け付けて、転送速度テストファイルを受信して、転送時間測定情報を返信する。転送速度テストファイル受信手段７４５は、前記転送速度情報要求を受け付けて、前記開設された転送路６００を使って、転送速度テストファイルを受信して、転送速度の値を測定するための情報（たとえば、受信開始時刻と受信終了時刻）を返信する。
【００５４】
プリントファイル削除手段７６０は、プリントファイル名を含んだプリントファイル削除指示を受け付けて、プリントファイル名に関連付けられたプリントファイル格納フォルダ７８５に格納されたプリントファイルを削除する。空き容量情報回答手段７７５は、ディスク空き容量情報要求を受け付けて、印刷サーバ装置の空き容量情報を返信する。格納場所作成手段７８０は、前記格納場所作成指示を受け付けて、前記格納場所作成指示のプリントファイル名を関連付けた格納場所（たとえば、格納フォルダ７８５）を作成する。
【００５５】
印刷サーバ転送路開設手段７４０と印刷サーバ接続情報提供手段７４３と転送速度テストファイル受信手段７４５とプリントファイル受信手段７５０とプリントファイル削除手段７６０と空き容量情報回答手段７７５と格納場所作成手段７８０とは、印刷サーバ装置７００に内蔵されるコンピュータ・プログラムである。格納フォルダ７８５は、プリントファイルサーバ装置５００に内蔵されるメモリ領域である。
【００５６】
図５は、管理表１９１の例である。管理表１９１は、プリントファイルサーバ装置５００に保持されるプリントファイルの管理データＡ１を記録する。管理データの管理項目は、「プリントファイル名」「サーバ装置指定情報」１９１ａ（「プリントファイルサーバ装置名」「印刷サーバ装置名」）「転送ファイル数」「転送ファイル容量合計サイズ」「生存時間」などから構成される。
【００５７】
ここで、「プリントファイル名」は、プリントファイルをユニークに識別する記号である。「プリントファイルサーバ装置名」は、プリントファイルサーバ装置５００の名称である。「印刷サーバ装置名」は、印刷サーバ装置７００の名称である。「転送ファイル数」は、プリントファイルを構成するファイルの合計数である。「転送ファイル容量合計サイズ」は、プリントファイルの容量である。「生存時間」は、プリントファイルを印刷サーバ装置７００上に残しておく存続時間であって、予定立案者が入力する。
【００５８】
たとえば、プリントファイル名が「名簿Ａ７５９」であるプリントファイルの管理データＡ１の内容は、サーバ装置指定情報１９１ａでは、プリントファイルサーバ装置５００のサーバ名が、「ファイルサーバＡ」であって、印刷サーバ装置７００のサーバ名が「プリンタ１号機」であって、転送ファイル数「７ファイル」であって、転送ファイル容量合計サイズが「５００MB」であって、生存時間が、「６：００」である。
【００５９】
図６は、予定表１９３の例である。予定表１９３は、印刷サーバ装置７００に転送するプリントファイルの予定データＦ１を記録する。予定データＦ１は、管理データＡ１の管理項目内容を含んでいる。予定データＦ１の管理項目は、「プリントファイル名」「サーバ装置指定情報」（「プリントファイルサーバ装置名」「印刷サーバ装置名」）「印刷サーバ装置名」「転送ファイル数」「転送ファイル容量合計サイズ」「生存時間」「印刷サーバ装置ディスク空き容量」「転送開始予定時刻」「転送終了予定時刻」「転送時間（予定時間）」「削除時刻」「状況」などから構成される。
【００６０】
ここで、予定データＦ１の管理項目の中で、「プリントファイル名」「サーバ装置指定情報」１９３ａ（「プリントファイルサーバ装置名」「印刷サーバ装置名」）「転送ファイル数」「転送ファイル容量合計サイズ」「生存時間」は、それぞれ、管理データＡ１の管理項目と同じ定義である。「印刷サーバ装置ディスク空き容量」は、印刷サーバ装置のプリントファイルを格納するディスクの空き容量である。「転送開始予定時刻」は、プリントファイルの転送を開始する予定時刻である。「転送終了予定時刻」は、プリントファイルの転送を終了する予定時刻である。「転送時間（予定時間）」は、プリントファイルを転送する所要予定時間である。「削除時刻」は、印刷サーバ装置７００のプリントファイルを削除する時刻である。「状況」は、プリントファイルを転送する前の「待機中」であるか、「転送中」であるか、「転送終了」であるかを示す。
【００６１】
たとえば、プリントファイル名が「名簿Ａ７５９」の予定データＦ１の内容は、印刷サーバ装置ディスク空き容量が「２４００MB」であって、転送開始予定時刻が「２００５／５／２５、１３：２０」であって、転送終了予定時刻が「２００５／５／２５、１５：００」であって、転送時間（予定時間）が「１：４０」であって、「削除時刻」が空白であって、状況が「待機中」である。
【００６２】
転送指示装置３００の表示画面の例について、図７から図１３と、図１８を用いて説明する。図７は、転送指示メインメニュー画面３００ａの例である。転送指示メインメニュー画面３００ａは、転送指示装置３００の表示部に表示される転送指示のための初期画面である。転送指示メインメニュー画面３００ａは、「管理データ登録」ボタン、「予定データ登録」ボタン、「転送状況監視」ボタン、「終了」ボタン、から構成されている。「管理データ登録」ボタンを押すと、管理データ登録画面３００ｆに切り替わる。「予定データ登録」ボタンを押すと、プリントファイル選択画面３００ｂに切り替わる。「転送状況監視」ボタンを押すと、プリントファイル転送モニター３００ｅに切り替わる。
【００６３】
図８は、管理データ登録画面３００ｆの例である。管理データ登録画面３００ｆは、「プリントファイル名」と、「プリントファイルサーバ装置名一覧」と、「印刷サーバ装置名一覧」と、「転送ファイル数」「転送ファイル容量合計サイズ」「生存時間」の入力欄と、「登録」ボタンの入力欄で構成される。
【００６４】
ここで、「プリントファイルサーバ装置名一覧」は、システム１に接続されているプリントファイルサーバ装置の名称を一覧表示したもので、この中から所定のプリントファイルサーバ装置を選択する。同様に、「印刷サーバ装置名一覧」システム１に接続されている印刷サーバ装置の名称を一覧表示したもので、この中から所定の印刷サーバ装置を選択する。「プリントファイル名」「転送ファイル数」「転送ファイル容量合計サイズ」「生存時間」は、予定立案者が入力欄に値を入力する。「登録」ボタンを押すと、一覧表示から選択された名称と入力欄の値から管理データＡ１が作成されて、管理表１９１に登録される。
【００６５】
図９は、転送印刷するプリントファイルを選択するプリントファイル選択画面３００ｂの例である。プリントファイル選択画面３００ｂは、登録された管理データＡ１に印刷サーバ装置９００のプリントファイルを格納するディスク容量を含めて一覧に表示させて、予定立案者に、転送印刷するプリントファイルの管理データＡ１を選択させる。管理データＡ１が選択されると、転送終了予定時刻入力画面３００ｃに切り替わる。
【００６６】
たとえば、プリントファイル選択画面３００ｂには、プリントファイル名が「名簿Ａ７５９」「ＤＭ８５４３」「請求Ｍ７８４５６８７」の管理データＡ１で、表示されている。
【００６７】
図１０は、転送終了予定時刻入力画面３００ｃの例である。転送終了予定時刻入力画面３００ｃは、予定立案者が転送終了予定時刻を入力する欄３０１と「ＯＫ」ボタンと「やり直し」ボタンを備える。入力欄３０１に入力した転送終了予定時刻でよければ、予定立案者は「ＯＫ」ボタンを押す。「ＯＫ」ボタンが押されると、予定確認画面３００ｄに切り替わる。また、「ＯＫ」ボタンが押した後に、新たな転送終了予定時刻を入力し直した場合には、「やり直し」ボタンを押す。「やり直し」ボタンが押されると、予定確認画面３００ｄに切り替わる。
【００６８】
図１１は、転送するプリントファイルの予定確認画面３００ｄの例である。予定確認画面２００ｄは、転送終了予定時刻から算出した転送開始時刻を含めた管理データＡ１の内容を表示した例である。ここで、予定立案者が、転送開始時刻が相応しくないと判断したら、「前画面」ボタンを押して、転送終了予定時刻入力画面３００ｃに戻ことが出来る。
【００６９】
図１２は、転送するプリントファイルの予定確認画面３００ｄの例である。印刷サーバ装置７００のプリントファイルを格納するディスク容量が不足する場合に、警告文「ディスク空き容量が足りません。」を表示する。たとえば、印刷サーバ装置７００「印刷２号機」のディスク空き容量が「２０MB」であるので、プリントファイル容量が３６０MBであるプリントファイル「ＤＭ８５４３」を、「印刷２号機」に転送使用とすると、ディスク空き容量が不足するので、前記警告文を表示して、予定立案者に、注意を促す。
【００７０】
図１３は、転送状況を監視する監視画面３００ｅの例である。監視画面３００ｅは、「状況」の内容を含めた予定データＦ１を一覧表示する。たとえば、ファイル名「名簿Ａ７５９」の表示内容は、プリントファイル転送サーバ名「ファイルサーバＡ」、印刷サーバ名「印刷１号機」、印刷サーバディスク空き容量「２４００MB」、転送プリントファイル合計サイズ「５００MB」、  転送開始時刻「２００５／５／２５、１３：２０」、転送終了予定時刻「２００５／５／２５、１５：００」、状況「転送中」などである。また、プリントファイル名「ＤＭ８５４３」の表示内容は、プリントファイル転送サーバ名「ファイルサーバＢ」、印刷サーバ名「印刷２号機」、サーバディスク空き容量「２０MB」、転送プリントファイル合計サイズ「３６０MB」、転送開始時刻「２００５／５／２５、１６：００」、転送終了予定時刻「２００５／５／２５、１７：００」などである。
【００７１】
プリントファイル転送システム１の装置間の通信手順を図１４と図１５を用いて説明する。図１４は、管理データと予定データを作成登録するときのプリントファイル転送システム１の装置間の通信手順の説明図（１）である。管理データ作成手段３１０は、予定立案者により管理データ登録画面３００ｆにて選択入力されたデータから管理データＡ１を作成して、管理データ授受手段１１０に送信する処理を行う（ステップＳ１０）。管理データ登録手段１１０は、管理データＡ１を受信して、管理表１９１に登録する処理を行う（ステップＳ１１）。
【００７２】
格納場所作成手段７８０は、受信した管理データのプリントファイルサーバ装置指定情報と印刷サーバ装置指定情報とが指定するプリントファイルサーバ装置５００と印刷サーバ装置７００に格納ホルダ作成指示Ａ２を、送信する処理を行う（ステップＳ１２）。
【００７３】
前記送信されたプリントファイルサーバ装置指定情報にて指定されたプリントファイルサーバ装置５００の作成手段５８０は、格納ホルダ作成指示Ａ２を受け付けて、所定の場所に格納ホルダ５８５を作成する処理を行う（ステップＳ１３）。前記送信された印刷サーバ装置指定情報にて指定された印刷サーバ装置７００の格納場所作成手段７８０は、格納ホルダ作成指示Ａ２を受信して、格納フォルダ７８５を作成する処理を行う（ステップＳ１４）。
【００７４】
格納ホルダ５８５には、プリントファイルサーバ装置５００の担当者が、プリントファイルを格納する。
【００７５】
予定データ作成手段３３０は、管理データ送信要求Ｂ１を送信すると、管理データ授受手段１１０は、管理データ送信要求Ｂ１を受け付けて、管理表の管理データ群Ｂ２を送信する（ステップＳ２１）。予定データ作成手段３３０は、管理データ群Ｂ２を受信して、管理データ群Ｂ２を一覧表示させる（ステップＳ２０）。予定立案者が一覧表示された管理データ群Ｂ２の中から管理データを指定すると、予定データ作成手段３３０は、指定された管理データを選択する処理を行う（ステップＳ２０）。
【００７６】
前記指定された管理データが選択されると、転送路開設処理（詳細は、後述する。）が行われて、転送路６００を開設する処理が行なわれる（ステップＳ３０からステップＳ４２）。
【００７７】
前記転送路６００が開設されると、開設された転送路６００の転送速度測定処理（詳細は、後述する。）が行われて、転送速度の値を含む転送速度情報Ｅ３が作成される処理を行う（ステップＳ４３からステップＳ４５）。転送速度情報取得手段１４５は、この転送速度情報Ｅ３を取得して、転送時間算出手段３４０に送信する（ステップＳ４３）。転送時間算出手段３４０は、転送速度の値を含む転送速度情報Ｅ３を受信して、選択した管理データに含まれるファイル容量の値を、受信したファイル転送速度の値で除算して、転送時間を算出して保持する（ステップＳ４６）。
【００７８】
予定立案者が終了予定時刻を入力したら、転送開始予定時刻手段３４５は、入力された終了予定時刻から、算出された転送時間を減算して、転送開始予定時刻を算出して保持する（ステップＳ４７）。
【００７９】
管理データが選択されると、予定データ作成手段３３０は、印刷サーバ装置指定情報１９１ａで指定された印刷サーバ装置７００のディスク空き容量情報要求Ｃ１を作成して、空き容量情報取得手段１７５に送信する（ステップＳ２０）。空き容量情報取得手段１７５は、前記ディスク空き容量情報要求Ｃ１を受信してディスク空き容量情報提供依頼Ｃ２を作成してこの印刷サーバ装置７００に送信する（ステップＳ２２）。印刷サーバ装置指定情報１９１ａで指定された印刷サーバ装置７００の空き容量情報回答手段７７５は、このディスク空き容量情報提供依頼Ｃ２を受け付けて、ディスク空き容量の値Ｃ２を回答する（ステップＳ２３）。空き容量情報取得手段１７５は、ディスク空き容量の値Ｃ２を受け取って、予定データ作成手段３３０に送信する。予定データ作成手段３３０は、ディスク空き容量の値Ｃ２を受信する（ステップＳ２２）。
【００８０】
予定データ作成手段３３０は、選択された管理データと保持した転送時間と転送開始予定時刻とディスク空き容量の値を含んだ予定データＦ１を作成して、予定データ授受手段１３０に送信する（ステップＳ５０）。予定データ授受手段１３０は、受信した予定データＦ１を予定表１９３に登録する処理を行う（ステップＳ５１）。
【００８１】
図１５は、予定データに従って、プリントファイルを転送して削除するときのプリントファイル転送システムの装置間の通信手順の説明図（２）である。
【００８２】
予定データ授受手段１３０は、監視画面データ請求Ｍ１を発行して、予定表１９３の予定データＦ１を取得する処理を行う（ステップＳ６０）。転送開始時刻判定手段１４２は、現在時刻を読み込む。転送開始時刻判定手段１４２は、前記取得された予定データＦ１に含まれる転送開始時刻と読み込んだ現在時刻とを比較して、読み込んだ現在時刻が転送開始時刻以降であれば、転送開始時刻に到達したと判定して、ステップＳ７０に進む。他方、読み込んだ現在時刻が転送開始時刻以前であれば、転送開始時刻に到達していないと判定して、ステップＳ６０に戻る（ステップＳ６１）。
【００８３】
現在時刻が転送開始時刻に到達していれば、転送路開設処理（詳細は、後述する。）が行われて、転送路６００が開設される（ステップＳ７０からステップＳ７５）。
【００８４】
転送開始指示手段１５０は、予定データＦ１に含まれる印刷サーバ装置のファイル空き容量とプリントファイル容量を比較して、印刷サーバ装置のファイル空き容量がプリントファイル容量より大きければ、開設された転送路６００を使って転送させるために、プリントファイル名を含んだプリントファイル転送開始指示Ｊ１を送信して、予定データＦ１の「状況」の内容を、「転送中」に変更して、予定データＦ１の送信開始時刻欄に、送信開始時刻を記録する処理を行う（ステップＳ８０）。
【００８５】
なお、予定データＦ１に含まれるファイル空き容量がプリントファイル容量より小さい時には、空き容量情報取得手段１７５は、ディスク空き容量情報提供依頼Ｃ２を送信して、印刷サーバ装置指定情報１９１ａで指定された印刷サーバ装置７００の空き容量情報回答手段７７５から、ディスク空き容量の値Ｃ２の回答を受け取る。受け取ったディスク空き容量の値Ｃ２とプリントファイル容量を比較して、ディスク空き容量の値Ｃ２がプリントファイル容量より大きければ、開設された転送路６００を使って転送させるために、プリントファイル名を含んだプリントファイル転送開始指示Ｊ１を送信して、予定データＦ１の「状況」の内容を、「転送中」に変更する。予定データＦ１の送信開始時刻欄に、送信開始時刻を記録する。ディスク空き容量の値Ｃ２がプリントファイル容量より小さい時には、転送開始指示手段１５０は、プリントファイルＪ２の送信を中止する。
【００８６】
プリントファイル送信手段５５０は、前記プリントファイル名を含んだプリントファイル転送開始指示Ｊ１を受け付けて、格納ファイル５８５の中に前記転送開始指示Ｊ１のプリントファイル名のプリントファイルＪ２があることを確認して、このプリントファイルＪ２を前記開設した転送路６００を通じて、プリントファイル受信手段７５０に送信する処理を行う（ステップＳ８１）。プリントファイル受信手段７５０は、プリントファイル転送開始指示Ｊ１を受け付けて、前記開設した転送路６００を通じてプリントファイルＪ２を受信して、格納フォルダ７８５に格納する処理を行う（ステップＳ８２）。
【００８７】
また、プリントファイルサーバ装置５００の格納ファイルに指示されたプリントファイル名が存在しないときには、プリントファイル送信手段５５０は、プリントファイルが不在である情報を返信して、送信を中止する処理を行う。
【００８８】
プリントファイルの送信が終了したときには、転送終了時刻報告手段５６５は、転送終了時刻Ｋ１をプリントファイル削除時間算出手段１６５に送信する処理を行う（ステップＳ８３）。プリントファイル削除時刻記録手段１６５は、転送終了時刻Ｋ１を受信して、所定の予定データＦ１に記録して、「状況」の内容を、「転送終了」に変更する処理を行う（ステップＳ８４）。
【００８９】
プリントファイル削除時刻記録手段１６５は、予定データＦ１に含まれる転送終了時刻と生存時間を加算してプリントファイル削除時刻を算出して、読み込んだ現在時刻と比較して、算出したプリントファイル削除時刻が現在時刻以降であれば、プリントファイル削除時刻に到達したと判定する。他方、プリントファイル削除時刻が現在時刻以前であれば、プリントファイル削除時刻に到達していないと判定する処理を行う（ステップＳ８４）。現在時刻がプリントファイル削除時刻に到達していれば、プリントファイル削除指示手段１６０は、プリントファイル名を含んだプリントファイル削除指示Ｌ１を作成して、プリントファイル削除手段７６０に送信する処理を行う（ステップＳ８５）。プリントファイル削除手段７６０は、予定データＦ１のプリントファイル名を含んだプリントファイル削除指示Ｌ１を受け付けて、指示されたプリントファイル名のプリントファイルを削除する処理を行う（ステップＳ８６）。
【００９０】
監視画面表示手段３３５は、監視画面データ請求Ｍ１を送信して、監視画面データ提供手段１３５は、監視画面データ請求Ｍ１を監視画面表示手段３３５から受信して、予定データ表１９３の予定データ群Ｍ２を送信する、また、監視画面データ請求Ｍ１を受け付けた後に予定データ授受手段１３０が予定データを予定データ表１９３に登録したら、改めて予定データ表１９３の予定データ群Ｍ２を送信する（ステップＳ９０）。監視画面表示手段３３５は、予定データ群Ｍ２を受信して、予定データ群Ｍ２を一覧表示３００ｅする（ステップＳ９１）。
【００９１】
図１６は、転送路開設処理のフローチャートである。
（１）印刷サーバ接続情報取得手段１４３は、印刷サーバ装置指定情報１９１ａ／１９３  ａにて指定された印刷サーバ装置７００に、印刷サーバ接続情報提供依頼Ｄ２を送信す  る。（ステップＳ４０１）
（２）指定された印刷サーバ装置７００の印刷サーバ接続情報提供手段７４３は、印刷サ  ーバ接続情報提供依頼Ｄ２を受け付けて、印刷サーバ装置７００のＩＰアドレスとポー  ト番号を含んだ印刷サーバ接続情報Ｄ３を返信する。（ステップＳ４０２）
（３）印刷サーバ接続情報取得手段１４３は、印刷サーバ装置のＩＰアドレスとポート番  号を含んだ印刷サーバ接続情報Ｄ３の返信を受け付けて、保持する。（ステップＳ４０  ３）
（４）転送路開設指示手段１４０は、保持された印刷サーバ接続情報Ｄ３の印刷サーバ装  置７００のＩＰアドレスとポート番号を含んだ転送路開設指示Ｄ４を作成して、プリン  トファイルサーバ装置指定情報１９１ａ／１９３ａにて指定されたプリントファイルサ  ーバ装置５００に、送信する。（ステップＳ４０４）
（５）指定されたプリントファイルサーバ装置５００の転送路開設手段５４０は、印刷サ  ーバ装置７００のＩＰアドレスとポート番号を含んだ転送路開設指示Ｄ４を受け付けて  、前記転送路開設指示Ｄ４が指定するＩＰアドレスの印刷サーバ装置７００に、前記転  送路開設指示Ｄ４のポート番号を含んだ転送路開設依頼Ｄ５を作成して送信する。（ス  テップＳ４０５）
（６）指定された印刷サーバ装置７００の印刷サーバ転送路開設手段７４０は、前記転送  路開設依頼Ｄ５を受け付けて、転送路開設承諾Ｄ６を返信して、前記転送路開設依頼Ｄ  ５に含まれるポート番号の転送路６００を開設する。（ステップＳ４０６）
（７）転送路開設手段５４０は、転送路開設承諾Ｄ６の返信を受け付けて、転送路６００  を開設する。（ステップＳ４０７）
【００９２】
図１７は、転送速度測定処理のフローチャートである。
（１）転送速度情報取得手段１４５は、プリントファイルサーバ装置指定情報１９１ａ／１９３ａが指定するプリントファイルサーバ装置５００の転送速度測定手段５４５と印刷サーバ装置７００の印刷サーバ転送路測定手段７４５に、開設された転送路６００の転送速度情報要求Ｅ１を送信する。（ステップＳ５０１）
（２）転送速度測定手段５４５は、転送速度情報要求Ｅ１を受け付けて、開設された転送路６００を使って、転送速度テストファイルＥ２を、印刷サーバ転送路測定手段７４５に送信する。（ステップＳ５０２）
（３）印刷サーバ転送路測定手段７４５は、転送速度情報要求Ｅ１を受け付けて、開設された転送路６００を使って、転送速度テストファイルＥ２を受信して、転送速度の値を測定するための情報（たとえば、受信開始時刻や受信終了時刻）を返信する。（ステップＳ５０３）
（４）転送速度測定手段５４５は、転送速度の値を測定するための情報（たとえば、受信開始時刻や受信終了時刻）を受信して、受信終了時刻から受信開始時刻を減算して転送時間を算出して、転送速度テストファイルＥ２の容量の値を算出した転送時間で割り算することで、転送転送速度の値を算出する。（ステップＳ５０４）
（５）転送速度測定手段５４５は、算出した転送速度の値を含んだ転送速度情報Ｅ３を作成して、転送速度情報取得手段１４５に送信する。（ステップＳ５０５）
（６）転送速度情報取得手段１４５は、転送速度の値を含んだ転送速度情報Ｅ３を受け付けて、転送時間算出手段３４０に送信する。（ステップＳ５０６）
【００９３】
（変形例）
図１８は、変形例のプリントファイル転送システム２の詳細な構成図である。プリントファイル転送システム２が備える手段は、図３と図４が示すプリントファイル転送システム１の構成から、転送速度情報取得部１４７、転送速度測定部５４７、転送速度テストファイル受信部７４７を除き、転送速度情報表参照手段１４９を加えたものである。記憶手段１９０は、管理表１９１と予定表１９３と転送速度表１９５とを備える。
【００９４】
転送速度表１９５は、転送速度の値を含めた転送速度情報にプリントファイルサーバ装置５００と印刷サーバ装置７００を指定するサーバ指定情報を関連付けた表形式のデータである。管理表１９１と予定表１９３の構造は、図３と同じである。
【００９５】
転送速度情報表参照手段１４９は、サーバ指定情報をキーにして、転送速度表１９５を参照して、前記サーバ指定情報キーに一致するサーバ指定情報に関連付けられた転送速度の値を含めた転送速度情報を取得して、転送時間算出手段３４０に送信する。その他の表や手段の働きは、プリントファイル転送システム１が備える表や手段と同じである。
【００９６】
変形例のプリントファイル転送システム２が備える手段の実現方法は、プリントファイル転送システム１が備える表や手段の実現方法と同じである。
【００９７】
このように、転送速度表１９５を備えることで、開設された転送路の転送速度を測定せずに、転送時間の算出が可能になる。
【００９８】
以上詳しく説明したように、本願発明によれば、セキュリティの高い情報を含んだデジタル印刷において、管理データや予定データを用いて、印刷機への転送指示をさせることで、機密性の高いプリントファイルに作業者をアクセスさせずに済むので、データ漏洩やデータ改竄の不安がなくなり、安全性を確保することが可能となった。さらに、印刷機に存在する印刷済みのプリントファイルを確実に削除することができるようになったので、プリントファイル削除作業が不要となった。
【図面の簡単な説明】
【００９９】
【図１】プリントファイル転送システムの全体構成
【図２】プリントファイル転送システムの大まかな処理の流れ
【図３】プリントファイル転送システムの詳細な構成図（１）
【図４】プリントファイル転送システムの詳細な構成図（２）
【図５】管理表の例
【図６】予定表の例
【図７】転送指示メインメニュー画面の例
【図８】管理データ登録画面の例
【図９】登録された管理データから転送するプリントファイルを選択する画面の例
【図１０】転送終了予定時刻を入力する画面の例
【図１１】転送するプリントファイルの予定確認画面の例  （その１）
【図１２】転送するプリントファイルの予定確認画面の例  （その２）
【図１３】転送状況を監視する画面の例
【図１４】プリントファイル転送システムの装置間の通信手順の説明図（その１）
【図１５】プリントファイル転送システムの装置間の通信手順の説明図（その２）
【図１６】転送路開設処理のフローチャート
【図１７】転送速度測定処理のフローチャート
【図１８】変形例のプリントファイル転送システムの詳細な構成図
【符号の説明】
【０１００】
１  プリントファイル転送システム
２  変形例のプリントファイル転送システム
１００  転送管理クライアント装置
１１０  管理表登録手段
１１５  管理データ送信手段
１３０  予定表登録手段
１３５  監視画面データ提供手段
１４０  転送路開設指示手段
１４１  予定データ取得手段
１４２  転送開始時刻判定手段
１４３  印刷サーバ接続情報取得手段
１４５  転送速度情報取得手段
１４７  転送速度情報取得部
１４９  転送速度情報表参照手段
１５０  プリントファイル送信開始指示手段
１５５  転送開始指示部
１６０  プリントファイル削除指示手段
１６５  プリントファイル削除時刻算出手段
１７５  空き容量情報取得手段
１８０  格納場所作成指示手段
１９０  記憶手段
１９１  管理表
１９３  予定表
１９５  転送速度表
１９７  印刷サーバ接続情報表
３００  転送指示装置
３００ａ  転送指示メインメニュー画面
３００ｂ  プリントファイル選択画面
３００ｃ  転送終了予定時刻入力画面
３００ｄ  予定確認画面
３００ｅ  監視画面
３０１  転送終了予定時刻を入力する欄
３１０  管理データ作成手段
３３０  予定データ作成手段
３３３  管理データ選択手段
３３５  監視画面手段
３４０  転送時間算出手段
３４５  転送開始時刻算出手段
５００  プリントファイルサーバ装置
５４０  転送路開設手段
５４５  転送速度測定手段
５４７  転送速度測定部
５５０  プリントファイル送信手段
５５５  プリントファイル送信部
５６５  転送終了時刻報告手段
５８０  格納フォルダー作成手段
７００  印刷サーバ装置
７４０  印刷サーバ転送路開設手段
７４３  印刷サーバ接続情報提供手段
７４５  印刷サーバ転送速度測定手段
７４７  転送速度テストファイル受信部
７５０  プリントファイル受信手段
７５５  プリントファイル受信部
７６０  プリントファイル削除手段
７７５  空き容量情報回答手段
７８０  格納フォルダー作成手段
Ａ１  管理データ
Ａ２  格納ホルダ作成指示
Ｂ１  管理データ送信要求
Ｂ２  管理データ群
Ｃ１  ディスク空き容量情報要求
Ｃ２  空き容量の値
Ｄ１  印刷サーバ接続情報取得指示
Ｄ２  印刷サーバ接続情報提供依頼
Ｄ３  印刷サーバ接続情報（ＩＰアドレスとポート番号）
Ｄ４  転送路開設指示
Ｄ５  印刷サーバ転送路開設依頼
Ｄ６  印刷サーバ転送路開設承諾
Ｅ１  転送速度情報要求
Ｅ２  転送速度テストファイル
Ｅ３  転送速度の値
Ｆ１  予定データ
Ｊ１  プリントファイル転送開始指示
Ｊ２  プリントファイル
Ｋ１  転送終了時刻
Ｌ１  プリントファイル削除指示
Ｍ１  監視画面データ請求
Ｍ２  予定データ群
【図１】
2007034849.tif 000003
【図２】
2007034849.tif 000004
【図３】
2007034849.tif 000005
【図４】
2007034849.tif 000006
【図５】
2007034849.tif 000007
【図６】
2007034849.tif 000008
【図７】
2007034849.tif 000009
【図８】
2007034849.tif 000010
【図９】
2007034849.tif 000011
【図１０】
2007034849.tif 000012
【図１１】
2007034849.tif 000013
【図１２】
2007034849.tif 000014
【図１３】
2007034849.tif 000015
【図１４】
2007034849.tif 000016
【図１５】
2007034849.tif 000017
【図１６】
2007034849.tif 000018
【図１７】
2007034849.tif 000019
【図１８】
2007034849.tif 000020